(57)【特許請求の範囲】
【請求項１】
立設し、縦横に並設する複数枚の面ガラス板間の各水平目地に沿って各面ガラス板の横幅と略同一幅で長尺なリブガラス板を該面ガラス板と直交するように水平方向に配設し、かつ該リブガラス板を構造支柱、ロッドまたはワイヤ等の構造体で支持するようにし、前記水平姿勢のリブガラス板の構造支柱側の端部の両隅の穿孔部の夫々に長さ調整自在な筒状の連結部材を軸支させ、一方の連結部材の先端部を構造支柱の取付部材に軸支させると共に、他方の連結部材の先端部を該取付部材に固定させ、前記一方の連結部材の長さを調整することにより、リブガラス板の位置を水平方向に旋回移動調整できるようにしたことを特徴とするリブガラス板の支持構造。
【請求項２】
前記水平姿勢のリブガラス板の構造支柱とは反対側の端部側に設けた穿孔部をロッド材用の取付部材に軸支させたことを特徴とする請求項１記載のリブガラス板の支持構造。
【請求項３】
リブガラス板の穿孔部と連結部材との取付けにおいて、穿孔部を貫通孔または皿孔とし皿面側より挿入した締付ボルトを裏面側からの締付ナットで締付螺合し、さらに、締付ボルトのボルト部に連結部材の端部を螺合させ、連結部材の両面に螺合させたナットで挟持固定させるようにして、リブガラス板の上下方向の位置調整と、リブガラス板の前後方向の傾きの調整を可能にしたことを特徴とする請求項１または２に記載のリブガラス板の支持構造。
【請求項４】
前記リブガラス板と構造支柱を連結させる連結部材が、雌ねじ部を有する筒状または凹状の雌型部材と、該雌型部材の雌ねじ部と螺合する雄ねじ部を有し、片端に鍔部を有する円筒状の雄型部材と、該雄型部材内を摺接回転自在で、前記雄型部材の両端に係止する鍔部を有しリブガラス板の穿孔部側に接続する接続部材とからなり、雄型部材を回転させることにより、連結部材の長さを調整可能としたことを特徴とする請求項１乃至３のいずれかに記載のリブガラス板の支持構造。
【請求項５】
前記請求項１乃至４のいずれかからなる湾曲したガラススクリーンの支持構造であることを特徴とするリブガラス板の支持構造。
【発明の詳細な説明】
【０００１】
【発明の属する技術分野】
本発明は、縦横に並設した複数枚のガラス板の水平目地に沿って設けたリブガラス板の支持構造に関する。
【０００２】
【従来の技術】
ガラス板の取付工法としては、各種の工法が知られており、並設した複数枚の面ガラス板間の縦目地部に面ガラス板と直交する方向にリブガラス板を立設させたガラスリブ工法、あるいは、サッシフレームを室外面に出さず室内に設けたフレームに構造用シーリング材でガラスを接着固定するＳＳＧ工法等の他、フレ−ムレスなガラススクリ−ンを構成する工法としては、縦横に並設した複数枚のガラス板の隅部に設けた穿孔部を支持金具で支持する点支持工法や、該ガラス板間の縦横のシーリング材による目地部を利用してガラス板を締付金具で挟持して支持する点支持工法等が現在良く知られている。
【０００３】
前記点支持工法によって、縦横に並設した複数枚のガラス板を支持する場合には、所定の間隔毎に自立柱を立設し、該自立柱間にテンションワイヤやテンションロッド等による縦トラスや横トラスを設け、縦トラスによってガラス板の荷重を支持し、横トラスによって風荷重等の面外方向の荷重を支持させている。
【０００４】
【発明が解決しようとする課題】
前記リブガラス板を用いたガラススクリーンの場合は、多くの場合、面ガラス板間の縦目地に沿って設けられ、リブガラス板は上部構造体によって吊り下げるか、自立させて支持され、面ガラス板の面外方向の風荷重を支えている。
【０００５】
このため、リブガラスを用いたガラススクリーンを形成する場合においては、通常面ガラス板１枚分の高さまでで、面ガラス板を横方向に並設する場合に限定される。
【０００６】
このように、大面積のガラススクリーンを形成する場合には、リブガラス板による工法は困難であった。
【０００７】
一方、縦横に複数枚のガラス板を並設した大面積のガラススクリーンを設ける場合には、各ガラス板の隅部に設けた穿孔部を支持する点支持工法や、各ガラス板には孔明けせず突き合わせ十字状の目地部に挿通した金具で挟持する点支持工法が良く知られ、これら点支持工法では、ガラス板に孔明けをする場合も、しない場合のいずれの場合も、ガラス板を支持金具を構造支柱、ワイヤやロッド等のテンショントラス等の構造体によって支えるようにし、これらの場合には、面外方向の荷重に対してリブガラス板を使用することは困難であるため、リブガラス板を用いることもなかった。
【０００８】
【課題を解決するための手段】
本発明は、上記問題点の解決を図る、すなわち縦横に複数枚のガラス板を並設した大面積のガラススクリーンを形成する場合において、ガラス板の支持を確実とし、ガラス板の自重や面外方向の荷重等に対しても強度を低下させることがなく、また、立設する構造支柱の数を少なくして美観を損なわないようにしたガラス板の支持構造の提供を目的とするものである。
【０００９】
すなわち本発明は、立設し、縦横に並設する複数枚の面ガラス板間の各水平目地に沿って各面ガラス板の横幅と略同一幅で長尺なリブガラス板を該面ガラス板と直交するように水平方向に配設し、かつ該リブガラス板を構造支柱、ロッドまたはワイヤ等の構造体で支持するようにし、前記水平姿勢のリブガラス板の構造支柱側の端部の両隅の穿孔部の夫々に長さ調整自在な筒状の連結部材を軸支させ、一方の連結部材の先端部を構造支柱の取付部材に軸支させると共に、他方の連結部材の先端部を該取付部材に固定させ、前記一方の連結部材の長さを調整することにより、リブガラス板の位置を水平方向に旋回移動調整できるようにしたことを特徴とするリブガラス板の支持構造である。
【００１１】
さらに、本発明は、前記水平姿勢のリブガラス板の構造支柱とは反対側の端部側に設けた穿孔部をロッド材用の取付部材に軸支させた上述のリブガラス板の支持構造である。
【００１２】
さらにまた、本発明は、リブガラス板の穿孔部と連結部材との取付けにおいて、穿孔部を貫通孔または皿孔とし皿面側より挿入した締付ボルトを裏面側からの締付ナットで締付螺合し、さらに、締付ボルトのボルト部に連結部材の端部を螺合させ、連結部材の両面に螺合させたナットで挟持固定させるようにして、リブガラス板の上下方向の位置調整と、リブガラス板の前後方向の傾きの調整を可能にした上述のリブガラス板の支持構造である。
【００１３】
さらにまた、本発明は、前記リブガラス板と構造支柱を連結させる連結部材が、雌ねじ部を有する筒状または凹状の雌型部材と、該雌型部材の雌ねじ部と螺合する雄ねじ部を有し、片端に鍔部を有する円筒状の雄型部材と、該雄型部材内を摺接回転自在で、前記雄型部材の両端に係止する鍔部を有しリブガラス板の穿孔部側に接続する接続部材とからなり、雄型部材を回転させることにより、連結部材の長さを調整可能とした上述のリブガラス板の支持構造である。
【００１４】
さらにまた、本発明は、前記のいずれかからなる湾曲したガラススクリーンの支持構造であるリブガラス板の支持構造である。
【００１５】
【発明の実施の形態】
本発明は図６に示すように、立設し、縦横に並設する複数枚の面ガラス板Ｇ、Ｇ、・・からなるガラススクリーン６０において、面ガラス板Ｇ、Ｇ、・・間の各水平目地１２に沿って各面ガラス板Ｇの横幅と略同一幅で長尺なリブガラス板３０を該面ガラス板Ｇ面と直交するように水平姿勢で配設させる。
【００１６】
前記リブガラス板３０はその片端側を垂直目地部１２の室内側に所定の間隔をおいて立設した構造支柱２０（図１参照）に連結して支持すると共に、該構造支柱２０と面ガラス板Ｇのコーナー突き合わせ部の目地部位置に配設した支持金具１にも連結固定させる。
【００１７】
また、図１に示すように、該リブガラス板３０の構造支柱２０側とは反対側の端部については、該端部に設けた穿孔部３１”をロッド材用の取付部材に軸支させ、構造躯体によって吊り下げ等で支持されたロッドによって、リブガラス板３０を吊り下げ固定すると共に、面ガラス板Ｇのコーナー突き合わせ部の目地部位置に配設した支持金具１と支持桿４２によって連結させ、上述したようにリブガラス板３０を面ガラス板Ｇ間の水平目地に沿った位置となるように配設した。
【００１８】
前記複数本の構造支柱２０、２０・・の上端同士は上部フレーム６１によって連結固定されている。
【００１９】
図２に示すように、前記水平姿勢のリブガラス板３０の片端側隅部の穿孔部３１、３１と構造支柱２０との連結は、前記構造支柱２０の外周に固着した取付部材２２に左右一対の長さ調整自在な筒状の連結部材２３、２３の片端を軸支させて、該連結部材２３、２３の他端側をリブガラス板３０の穿孔部３１に軸支させ、さらに、別の左右一対の連結部材２３’、２３’の片端を取付部材２２に固着させて、該連結部材２３’の他端側をリブガラス板３０の穿孔部３１’、３１’に軸支させて連結させる。
【００２０】
該連結部材２３、２３’のそれぞれの長さを調整することによって、面ガラスＧの水平方向の目地１２に沿って構造支柱２０の左右両側に面ガラスＧの幅と略同一幅のリブガラス板３０、３０の位置や姿勢を調整自在とし、リブガラス板３０を水平方向に旋回移動調整できる。
【００２１】
また、リブガラス板３０の片端側と連結した構造支柱２０と、面板ガラスＧを支持している支持金具１との連結は、構造支柱２０の外周側面に固着した剛性の突設部材２１によって、該突設部材２１の先端を前記並設したガラス板Ｇ、Ｇ・・の十字状の目地１２位置となるように配設して、面ガラスＧのコーナー突き合わせ両面より締付挟持する支持金具１に連結固定した。
【００２２】
図３に、前記リブガラス板３０と構造支柱２０を連結させ、両端を軸支する連結部材２３を示す。
【００２３】
該連結部材２３は、片端側に雌ねじ部を有する凹状部２６ａと他端側に取付部材２２を遊嵌させるスリット部２６ｂを設けた雌型部材２６と、該雌型部材２６の雌ねじ部と螺合する雄ねじ部を有し、片端に鍔部２４ａを有する円筒状の雄型部材２４と、該円筒状の雄型部材２４の内面を摺接回転自在で、前記雄型部材２４の両端に係止する鍔部２５ａ、２５ｂを有し、かつリブガラス板３０の穿孔部側に接続する接続部材２５とから構成される。
【００２４】
前記雌型部材２６と取付部材２２との連結は、雌型部材２６のスリット部２６ｂに、取付部材２２を遊嵌させ、それぞれの穿孔部を一致させて、該穿孔部に挿通したボルトとナットで螺合させて軸支可能に連結した。
【００２５】
また、接続部材２５とリブガラス板３０との接続は、リブガラス板３０の穿孔部３１に挿通し、該穿孔部３１を締付ボルト４３とナット４４で締付挟持した後で、締付ボルト４３のボルトの先端部をさらに接続部材２５の螺孔部２５ｃと螺合させ、接続部材２５の螺孔部２５ｃの両面よりナットで軸支可能かつ上下位置を固定するように連結した。
【００２６】
雄型部材２４の筒状部内面に内接する接続部材２５とは、摺動自在であり、雄型部材を回転させることにより、雌型部材２６との螺合によって雄型部材２４が移動し、さらに雄型部材の移動に合わせて接続部材も移動し、連結部材２３の長さを調整可能とすることができる。
【００２７】
続いて、図４に示すように、前記リブガラス板３０と構造支柱２０を連結させる前記連結部材２３’は、雌ねじ部を有する円筒状の雌型部材２６’と、該雌型部材２６’の雌ねじ部と螺合する雄ねじ部を有し、片端に鍔部２４ａを有する円筒状の雄型部材２４と、該円筒状の雄型部材２４の内面を摺接回転自在で、前記雄型部材２４の両端に係止する鍔部２５ａ、２５ｂを有し、かつリブガラス板３０の穿孔部側に接続する接続部材２５とから構成される。
【００２８】
該連結部材２３’は、前記リブガラス板３０との連結部を軸支させ、構造支柱２０との連結部を固着させるものである。
【００２９】
前記雌型部材２６と取付部材２２との連結は、溶接等によって固着、または雌型部材２６と取付部材２２とを螺着させ、固定させた。
【００３０】
また、接続部材２５とリブガラス板３０との接続は、前記連結部材２３のリブガラス板との連結と同一であり、リブガラス板３０の穿孔部３１’に挿通し、該穿孔部３１’を締付ボルト４３とナット４４で締付挟持した後で、締付ボルト４３のボルトの先端部をさらに接続部材２５の螺孔部２５ｃと螺合させ、接続部材２５の螺孔部２５ｃの両面よりナットで軸支可能かつ上下位置を固定するように連結した。
【００３１】
前記リブガラス板３０、３０の構造支柱側とは反対側の先端部の支持については、図５に示すように、前記リブガラス板３０の上方、下方の位置関係にあるリブガラス板３０の端部同士を、接続金具４１、接続部材４７等の螺合によってバランスロッド４０で連結し、最上段位置にあるバランスロッド４０の上端側を上部フレーム６１（図６参照）によって吊り下げ固定し、最下段位置にあるバランスロッド４０の下端側を下部フレーム６２（図６参照）によって取付固定し、それぞれ接続金具４１によって螺合し、長さを調整した。
【００３２】
また、前記リブガラス板３０の端部に設けた穿孔部３１”には、該穿孔部３１”の片面側よりリブガラス支持ボルト４３を挿通し、裏面側よりリブガラス支持ナット４４を螺合させて締付挟持させている。該リブガラス支持ボルト４３の中心には雌ねじ部を設け、該雌ねじ部に両端ボルト４６を螺合させ、両端ボルト４６の先端がリブガラス支持ボルト４３の上下より突出するようにし、上側に突出している両端ボルト４６の先端は、円筒状の接続部材４７の雌ねじ部と螺合させた。
【００３３】
さらに、前記両端ボルト４６に支持桿４２の筒状接続部４２ａを軸着させ、該筒状部に最も近接した位置にある面ガラスＧ、Ｇの目地部１２に設けた支持金具１間を前記支持桿４２で連結させる。
【００３４】
また、両端ボルト４６とリブガラス支持ボルト４３の雌ねじ部との螺合の緩み防止としてナット４５をリブガラス支持ボルト４３に当接するように螺着させている。
【００３５】
さらに、前記バランスロッド４０の下端の雄ねじ部は接続金具４１の雌ねじ部と螺合させ、接続金具４１の下端に設けた切り欠き溝内に接続部材４７の板状部を挿入して、穿孔部４９に挿入したピンによる結合によって軸支させ傾動自在とした。
【００３６】
さらにまた、リブガラス支持ボルト４３より下側に突出している両端ボルト４６の先端は、前述の支持桿４２の筒状接続部４２ａ内で螺合連結させる。
【００３７】
該筒状接続部４２ａの下方に位置する板状部はバランスロッド４０と接続した接続金具４１の上端側の切り欠き溝内に挿入後、孔部４８内に挿入したピンによる結合によってバランスロッド４０側と軸支し、吊下げるようにした。
【００３８】
面ガラスＧの目地部１２を挟持して支持する支持金具１の裏面には吊下ロッド取付部材６が固設されており、十字状の目地部に配置された支持金具１に固着された吊下ロッド取付部材６、６同士は、接続金具５１、５１の螺合によって吊下ロッド５０で連結され、最上段位置の吊下ロッド５０の上端側は上部フレーム６１によって吊り下げ固定され、最下段位置の吊下ロッド５０の下端側は下部フレーム６２に取付固定され、それぞれ前記接続金具５１の螺合調整等によって所定の張力が付与されている。
【００３９】
図６、図７に示すように、立設した複数枚のガラス板Ｇ、Ｇ・・を上下左右に並設し、該ガラス板Ｇ、Ｇ・・の最上段のガラスＧ、Ｇ・・の上辺を上部フレーム６１に固設した上部枠６１ａ内に呑み込み状態となっており、さらに、最下段の面ガラスＧ、Ｇ・・の下辺を下部フレーム６２に固設した下部枠６２ａにて支持固定し、各面ガラス板Ｇの荷重は面ガラス板Ｇの下辺コーナー部に設けた支持金具１によって支持させている。
【００４０】
また、最上段の吊下ロッド５０は、上部フレーム６１に吊り下げられ、２番目、３番目の吊下ロッド５０、５０とは吊下ロッド取付部６、６を介して連結され、最下段の吊下ロッド５０の下端は下部フレーム６２に固定された下部枠６２ａにて支持されている。
【００４１】
縦横に並設したガラス板Ｇを支持する支持金具１としては、ガラス板Ｇのコーナー部に孔を明けずに目地部１２に挿入したボルトとナットを螺合させるようにすれば良く、あるいは目地部１２に挿入するボルトに代えて、ガラス板のコーナー部に穿孔部を設け、該穿孔部に挿入したボルトと裏面側からのナットを緩衝材を介して螺合させた締付具を、裏面側の十字状の目地部に設けたＸ字状、Ｈ字状、Ｖ字状、Ｉ字状等の支持金具の中心より放射状に延びるアームの先端に取り付け、突き合わせコーナー部に設けた締付具を同時に支持するようにしたものであっても良い。
【００４２】
前記の雄型部材２４の筒状部内面に内接する接続部材２５とは、摺動自在であり、雄型部材を回転させることにより、雌型部材２６’との螺合によって雄型部材２４が移動し、さらに雄型部材２４の移動に合わせて接続部材２５も移動し、連結部材２３’の長さを調整可能とすることができる。
【００４３】
前記連結部材２３、２３’の雄型筒状部２４、２４を、同一長さだけ長くすれば、リブガラス板３０を、そのままも姿勢で平行移動させることができる。
【００４４】
また、前記連結部材２３、２３’の雄型筒状部２４、２４を、異なる長さに調整する場合、例えば連結部材２３の雄型筒状部２４よりも、連結部材２３’の雄型筒状部２４の方を長くすれば、リブガラス板３０を、面ガラス板Ｇから離れる方向に移動させることができ、連結部材２３の雄型筒状部２４よりも、連結部材２３’の雄型筒状部２４の方を短くすれば、リブガラス板３０を、面ガラス板Ｇに接近する方向に移動させることができる。
【００４５】
また、リブガラス板３０の穿孔部を締付挟持する締付ボルト４３と締付ナット４４の締付ボルト４３の先端部に螺合させた連結部材２３、２３’の接続部材２５、２５の螺合位置を調整すれば、リブガラス３０の上下方向の位置調整が可能となり、各接続部材２５、２５の螺合位置を上下方向に異なるようにすれば、リブガラス板３０を傾斜させることもできる。
【００４６】
また、ガラススクリーン６０に面外方向から加えられる荷重のうち、高さ方向については、前記吊下ロッド５０とバランスロッド４０によって高さ方向のガラス板Ｇの変位を吸収し、水平方向の変位に対しては構造支柱２０とバランスロッド４０間で水平方向の目地に沿って設けられたリブガラス板３０によって受けることができる。
【００４７】
また、ガラス板Ｇ、Ｇの突き合わせ目地部１２に充填したシリコンシーラントと、該目地部１２に配設した支持金具１とガラスＧ、Ｇ板間に介在する緩衝材９、９とガラス板Ｇとを密着させているので雨水の室内への浸入を阻止できる。
【００４８】
尚、ガラス板Ｇとはフラットまたは湾曲した強化ガラス、半強化ガラス、未強化ガラスのいずれか、あるいはこれらを組み合わせてＰＶＢやＥＶＡ等の中間膜または樹脂注入で接着した合わせガラス、あるいはまた、前記のガラスに飛散防止樹脂膜を貼着したもの等が対象となる。
【００４９】
以上好適な実施の形態について述べたが、本発明はこれに限定されるものではなく種々の応用が考えられるものである。
【００５０】
本発明のガラススクリーン６０は、図８に示すような湾曲したガラススクリーン６０としても良く、またフラットな形状のガラススクリーンとしても勿論良い。
【００５１】
また、本発明は屋外用だけでなく室内の間仕切り用としても当然使用することができる。
【００５２】
さらに本発明によれば、ガラス板Ｇに孔を明けないで、コーナー目地部の支持により、縦辺の長さが数メートルにも及ぶガラス板であっても、確実に支持でき、フレームレスで開放的な空間を形成できるものであるが、ガラス板のコーナー部に設けた穿孔部をボルトとナットで締め付け支持するケースにおいても応用できる。
【００５３】
本発明のガラス支持構造からなるガラススクリーン６０の一実施例を図８に示すが、これに限定されるものではない。
【００５４】
これは、円周方向にガラス板Ｇを並設した自立状の略円筒形状の建物であり、ガラス板Ｇの円周方向に所定の枚数毎、例えば３枚毎の縦目地部に構造支柱２０を設けたものであり、ガラス板Ｇの内側の構造支柱２０のそれぞれより両側方向に面ガラスＧと略同一幅のリブガラス板３０が水平に設けられているものである。
【００５５】
面ガラス板Ｇは、例えば、縦約３，２００ｍｍ×横約２，２００ｍｍ、板厚８ｍｍの湾曲したフロートガラス板２枚をＰＶＢ膜で接着し、重ね合わせた曲げ合わせガラスとし、これを複数枚用意した。
【００５６】
また、リブガラス板としては、幅約２，０００ｍｍ×奥行約２００〜４５０ｍｍの略台形状で、板厚１２ｍｍの強化ガラス板２枚をＰＶＢ膜で接着し、重ね合わせた合わせガラスとした。
【００５７】
このように、本発明によれば、面ガラスＧ、Ｇ間の目地部１２に沿って、水平方向にリブガラス板３０を用いたことによって、面ガラス板Ｇの水平方向からの荷重による変形を防止でき、水平なリブガラス板３０による斬新なデザインと、ガラススクリーン６０としての開放的な空間が得られた。
【００５８】
また、構造支柱２０の取付部材２２に軸支させた連結部材２３と、該取付部材２２に固着させた連結部材２３’との２種類の連結部材２３、２３’の長さを調整自在としたことにより、リブガラス板３０を平行移動、旋回移動を自在とし、フラットな面ガラス板Ｇを湾曲するように並設したようなガラススクリーン６０であっても、近接する面ガラス板Ｇに対して、リブガラス板３０を面ガラス板Ｇの目地に沿って平行移動、旋回移動が自在である。
【００５９】
さらに、リブガラス板３０の穿孔部３１、３１’を締付挟持する締付ボルト４３と締付ナット４４の締付ボルト４３の先端部に螺合させた連結部材２３、２３’の接続部材２５、２５の螺合位置の調整により、リブガラス板３０の上下方向の位置調整が可能となり、各接続部材２５、２５の螺合位置を上下方向に異なるようにすれば、リブガラス板を傾斜させることもできる。
【００６０】
前記位置調整は、施工後にリブガラス板３０の前後方向の傾き、左右方向、また上下方向の位置決めが可能である。
【００６１】
また、高さ方向に面ガラス板Ｇを数段重ねても、面ガラス板Ｇの荷重は吊下ロッド５０によって支持され、各ガラス板Ｇを吊下ロッド５０で支持したときにガラス板Ｇの自重によって前傾姿勢となるモーメント力の発生に対して、吊下ロッド５０の背後に設けたバランスロッド４０によって発生させないようにすることができる。
【００６２】
また、面外方向からの風圧等の荷重に対して、吊下ロッド５０とバランスロッド４０によって高さ方向のガラス板Ｇの変位を吸収できる。
【００６３】
【発明の効果】
本発明によれば、面ガラス間の目地部に沿って、水平方向にリブガラス板を用いたことによって、面ガラス板の水平方向からの荷重による変形を防止でき、水平なリブガラス板による斬新なデザインと、ガラススクリーンとしての開放的な空間が得られた。
【００６４】
また、構造支柱の取付部材２２に軸支させた連結部材２３と、該取付部材２２に固着させた連結部材２３’との２種類の連結部材の長さを調整自在としたことにより、リブガラス板を平行移動、旋回移動を自在とし、フラットな面ガラス板を湾曲するように並設したようなガラススクリーンであっても、近接する面ガラス板Ｇに対して、リブガラス板を面ガラス板の目地に沿って平行移動、旋回移動が自在である。該リブガラス板の位置調整を、施工後に前後方向の傾き、左右方向、また上下方向の位置決めが可能である。
【００６５】
さらに、ガラス板のコーナー部に孔明け無しで取り付けた支持金具によって、上下左右にガラス板を並設して大面積のガラススクリーンを形成することができ、ガラス板を確実に支持することが可能であり、吊下ロッドとバランスロッドによってガラス板の自重や面外方向の荷重等に対しても強度を低下させることがなく、また、間隔をおいて立設した構造支柱と水平方向に設けたリブガラス板によって、立設する構造支柱の数を減少させたことによって美観を損なわないようにすることができる。
【００６６】
また、ガラス板のコーナー部に孔明けして取り付けた支持金具によって支持する構造であっても、対応可能な支持構造である。
【図面の簡単な説明】
【図１】本発明の実施例の支持構造の要部の部分平面図。
【図２】本発明の実施例の支持構造の要部を拡大した部分平面図。
【図３】本発明の実施例の連結部材の縦断面図。
【図４】本発明の実施例の連結部材の縦断面図。
【図５】本発明の実施例の支持構造の要部の部分縦断面図。
【図６】本発明の実施例の支持構造の正面図。
【図７】本発明の実施例の支持構造の側面図。
【図８】本発明の実施例の全体平面図。
【符号の説明】
Ｇ            ガラス板（面ガラス）
１            支持金具
６            吊下ロッド取付部
１２            目地部
２０            構造支柱
２１            突設部材
２２            取付部材
２３、２３’    連結部材
２４            雄型部材
２５            接続部材
２６、２６’    雌型部材
３０            リブガラス板
３１、３１’、３１”  穿孔部
４０            バランスロッド
４１            接続部材
４２            支持桿
４２ａ          筒状接続部
４５            ナット
４６            両端ボルト
４７            接続部材
５０            吊下ロッド
５１            接続金具
６０            ガラススクリーン
６１            上部フレーム
６２            下部フレーム
【図１】
0003707993.tif 000002
【図２】
0003707993.tif 000003
【図３】
0003707993.tif 000004
【図４】
0003707993.tif 000005
【図５】
0003707993.tif 000006
【図６】
0003707993.tif 000007
【図７】
0003707993.tif 000008
【図８】
0003707993.tif 000009